(57)【要約】【課題】電気泳動の実験結果として、クロストークが少ない蛍光強度データを得ることができる電気泳動装置を提供する。【解決手段】本発明は、複数のキャピラリにレーザ光を照射し蛍光を検出する電気泳動装置において、キャピラリを保持する面に、キャピラリから放射された蛍光を複数回反射させるための溝等が形成されていることに関する。これにより、反射光を低減でき、クロストークが少ない蛍光強度データを得ることができる。【選択図】図１
2006105871.tif 000002
【特許請求の範囲】
【請求項１】
複数のキャピラリと、該キャピラリにレーザ光を照射し蛍光を検出する検出部と、を有する電気泳動装置において、
上記検出部は、上記キャピラリを保持する基準面を備えた基板を有し、該基板は、上記キャピラリに直交するように上記基準面に形成された溝を有し、該溝は上記キャピラリから放射された蛍光を複数回反射させるための複数の反射面を有することを特徴とする電気泳動装置。
【請求項２】
請求項１記載の電気泳動装置において、上記溝は、三角形の断面を有することを特徴とする電気泳動装置。
【請求項３】
請求項１記載の電気泳動装置において、上記溝は、多角形の断面を有し、上記基準面に対して傾斜した複数の反射面を有することを特徴とする電気泳動装置。
【請求項４】
請求項１記載の電気泳動装置において、上記溝は、矩形断面を有し、該溝の底面は、上記基板の基準面に対して傾斜していることを特徴とする電気泳動装置。
【請求項５】
請求項１記載の電気泳動装置において、上記キャピラリは上記検出部にて空気以外の光伝達媒体中に配置されていることを特徴とする電気泳動装置。
【請求項６】
複数のキャピラリと、該キャピラリにレーザ光を照射し蛍光を検出する検出部と、を有する電気泳動装置において、
上記検出部にて、上記キャピラリは、基板上に配置され且つ光伝達媒体中に配置され、上記基板は、該光伝達媒体の屈折率と略同一の屈折率を有する透明な材料によって形成されていることを特徴とする電気泳動装置。
【発明の詳細な説明】
【技術分野】
【０００１】
本発明は、蛍光標識されたＤＮＡ等の試料を電気泳動により分離分析するための電気泳動装置に関する。
【背景技術】
【０００２】
特開２００２−２９６２３５号公報には、キャピラリ電気泳動装置が開示されている。ここでは、蛍光色素によって標識されたＤＮＡを含む試料をキャピラリ内に導入し、１列に並べられた複数のキャピラリを伝播するようにレーザ光を照射している。キャピラリに照射されたレーザ光によって、蛍光標識されたＤＮＡは蛍光を発する。キャピラリの各々からの蛍光を測定することにより、各キャピラリに導入された試料のＤＮＡ解析を行うことができる。タンパク質等の解析を行う場合も同様である。また、キャピラリを支持する基板に貫通穴を設け、反射光を抑制している。
【０００３】
特開平９−９６６２３号には、所定の屈折率を有する光伝達媒体中にキャピラリを配置し、キャピラリの表面におけるレーザ光の反射や屈折を調整し、キャピラリ内の試料に到達する光量を制御する電気泳動装置が開示されている。また光伝達媒体中にキャピラリを配置する技術は、米国特許第5790727号、米国特許第5582705号、米国特許第5833827号、及び特開平９−１５２４１８号にも開示されている。
【０００４】
【特許文献１】特開２００２−２９６２３５号公報
【特許文献２】特開平９−９６６２３号
【特許文献３】米国特許第5790727号
【特許文献４】米国特許第5582705号
【特許文献５】米国特許第5833827号
【特許文献６】特開平９−１５２４１８号
【発明の開示】
【発明が解決しようとする課題】
【０００５】
特開2002-296235号公報に記載のように、基板に貫通孔を設けると、基板における反射光を抑制することができる。しかしながら、基板に貫通孔を設けると、光伝達媒体である液体を充填することができない。
【０００６】
本発明の目的は、簡単な構造によってクロストークを低減することができる電気泳動装置を提供することにある。
【課題を解決するための手段】
【０００７】
本発明は、複数のキャピラリにレーザ光を照射し蛍光を検出する電気泳動装置において、キャピラリを保持する面に、キャピラリから放射された蛍光を複数回反射させるための溝等が形成されていることに関する。
【発明の効果】
【０００８】
本発明により、反射光を低減でき、クロストークが少ない蛍光強度データを得ることができる。
【発明を実施するための最良の形態】
【０００９】
以下、上記及びその他の本発明の新規な特徴と利益を、図面を参酌して説明する。ただし、図面はもっぱら解説のためのものであって、本発明の範囲を限定するものではない。
【実施例１】
【００１０】
以下、本発明の電気泳動装置の第１の例を示す。
まず、図１を参照して、電気泳動装置の概略を説明する。電気泳動装置は、キャピラリアレイ１０、第１バッファー容器１２、第２バッファー容器１４、ゲルブロック１６、シリンジ１８、検出部２０、及び、キャピラリアレイを一定の温度に保持するための恒温槽２２を有する。恒温槽２２によって、キャピラリアレイ１０は、例えば６０℃の一定温度に保温される。
【００１１】
キャピラリアレイ１０は、複数のキャピラリ１０１を含む。キャピラリ１０１は４８本、９６本等であるが、ここでは、４８本とする。キャピラリは、内径が数十〜数百ミクロン、外径が数百ミクロンの石英ガラス管で構成され、表面はポリイミド等のポリマーでコーティングされている。キャピラリの構造の詳細は、後に、図５を参照して説明する。キャピラリ１０１の一端は、キャピラリヘッド１０２により一つに束ねられている。キャピラリの他端、即ち、陰極端１０３は、金属製の管状の陰極電極１０４に挿入されており、キャピラリの陰極端１０３の先端は陰極電極１０４から突出している。陰極電極１０４はロードヘッダ１０５に装着されている。
【００１２】
第１バッファー容器１２には第１のバッファー液１２１が保持され、第１のバッファー液１２１には、キャピラリの陰極端１０３と陰極電極１０４が挿入されている。第２バッファ容器１４には、第２のバッファー液１４１が保持され、第２のバッファー液１４１には、陽極電極１４２が挿入されている。
【００１３】
ゲルブロック１６は管１６１を有し、管１６１の上端には、逆止弁１６３を介してシリンジ１８が装着され、下端は、バルブ１６２を介して第２バッファー容器１４の第２のバッファー液１４１に挿入されている。管１６１の分岐にはキャピラリヘッド１０２が装着されている。シリンジ１８とバルブ１６２を操作することにより、シリンジ１８内のポリマーが、キャピラリ１０１に充填され、又は詰め替えられる。キャピラリ中のポリマーの詰め替えは、測定の性能を向上するために測定ごとに実施される。
【００１４】
キャピラリ１０１をポリマー１４１で充填したら、第１バッファー容器１２をサンプルプレートと交換し、サンプルプレート内の試料に、キャピラリの陰極端１０３と陰極電極１０４を挿入する。陰極電極１０４と陽極電極１４２に間に電圧を印加すると、サンプルプレート内の試料中のＤＮＡは、キャピラリ内の泳動媒体中を移動する。ＤＮＡの移動速度は、ＤＮＡの長さ、形状等によって異なる。従って、ＤＮＡの移動速度の差を求めることによってＤＮＡを分離、分析することができる。
【００１５】
検出部２０では、キャピラリ１０１内を移動する試料にレーザ光２１を照射する。試料中の蛍光色素によって標識されたＤＮＡは、レーザ光によって蛍光を発する。キャピラリ１０１からの蛍光は、図示しない受光部によって、受光される。こうして、蛍光を測定することにより、ＤＮＡの解析を行なうことができる。タンパク質等の解析も同様に行なうことができる。受光部の詳細は、図２を参照して説明する。
【００１６】
レーザ光２１は、コヒーレント光である。例えば、アルゴンイオンレーザからの４８８．０ｎｍ又は５１４．５ｎｍの光である。
【００１７】
キャピラリへレーザ光を照射する方法として、マルチフォーカス方式、スキャン方式、一括照射方式等が知られている。マルチフォーカス方式については、以下に、説明する。スキャン方式とは、例えば、ガルバノミラーを用いてレーザ光の照射方向を変更し、又は、レーザ光を反射するミラーを動かして、複数のキャピラリを時間分割で順次照射する方式である。また、一括照射方式とは、例えば、レーザ光として末広がりな平面ビームを用い、複数のキャピラリを同時に照射する方式である。
【００１８】
図２を参照して、受光部の構造を説明する。図２（ａ）に示すように、受光部は、波長選択フィルタ３０１、蛍光集光レンズ３０２、グレーティング３０３、フォーカスレンズ３０４、及びＣＣＤ３０５を含む。検出部２０では、キャピラリ１０１のポリイミド被膜が除去されている。レーザ光２１を、キャピラリ１０１のポリイミド被膜が除去された部分に照射すると、蛍光色素によって標識されたＤＮＡは蛍光を発する。
【００１９】
キャピラリ１０１からの光３０６は、先ず、波長選択フィルタ３０１を通過する。波長選択フィルタ３０１によって、レーザ光より蛍光が分離される。蛍光は、蛍光集光レンズ３０２によって平行光３０７となり、グレーティング３０３によって分光され、フォーカスレンズ３０４によって集光され、ＣＣＤ３０５上に結像される。図２（ｂ）は、ＣＣＤ３０５の配置を示す。Ｙ軸は、キャピラリの番号、Ｘ軸は、各キャピラリからの分光を表す。図２（ｃ）は、グレーティング３０３の刻み線方向を示し、図２（ｄ）は、基板２０１とその上に配置されたキャピラリ１０１の断面構造を示す。
【００２０】
図３を参照して検出部の第１の例を説明する。図３（ａ）は正面図、図３（ｂ）は縦断面、図３（ｃ）は横断面である。検出部２０は、鉛直に配置された基板２０１と、基板２０１の上に且つ水平方向に配置された４８本のキャピラリ１０１と、キャピラリ１０１を基板２０１上に保持する押さえ板２０２と、キャピラリを覆うセル蓋２０３と、を有する。基板２０１に、三角形断面のＶ溝２１１が、レーザ光２１の光路に沿って設けられている。こうして本例では、基板２０１に、Ｖ溝２１１を設けることによりクロストークを抑制することができるが、これについては、後に詳細に説明する。
【００２１】
基板２０１とセル蓋２０３は、接着剤２０４によって接着され、内部に密閉空間を有する密閉容器（セル）を形成する。この密閉空間には、透明な光伝達媒体２０５が充填されている。密閉空間の上端の中央には、即ち、レーザ光２１の光路上に、気泡排除ブロック２０７が設けられている。光伝達媒体内の気泡２０６は、気泡排除ブロック２０７を回避して上端に配置されている。気泡排除ブロック２０７を設けることによって、レーザ光２１の光路上に気泡２０６が配置されることが防止される。
【００２２】
光伝達媒体２０５は、キャピラリ１０１の石英表面でレーザ光が反射するの防止するために使用する。従って、光伝達媒体の屈折率は、キャピラリの材料である石英ガラスの屈折率より小さいが、それに近い値を有する。本例では、光伝達媒体は、屈折率１．２９のフロリナート（商品名）である。こうして、キャピラリの外面におけるレーザ光の反射を防止することによって、レーザ光の減衰を回避することができる。尚、キャピラリの外面にてレーザ光２１が反射した場合には、その一部がキャピラリのポリマー被膜にあたり、このポリマー被膜が蛍光を発する場合がある。しかし、このポリマー被膜からの蛍光は押さえ板２０２によって遮られ、受光部に到達しない。このため、ＳＮ比の高い高精度検出ができる。
【００２３】
図３（ｃ）を参照して、キャピラリの装着方法を説明する。石英ガラス製の基板２０１は、キャピラリを保持するための平坦な基準面２０１Ａを有する。４８本のキャピラリを、基準面２０１Ａ上に配置し、その上に、押さえ板２０２を配置する。従って、キャピラリ１０１は、基準面２０１Ａと押さえ板２０２の間に挟まれ固定される。２枚の押さえ板２０２の間では、キャピラリ１０１のポリマー被膜は除去されている。４８本のキャピラリの中心軸線は、全て略同一平面上にある。基準面２０１Ａからキャピラリ１０１の中心軸線までの距離の誤差を、６μｍ以下にすることができる。尚、キャピラリの装着方法は、他の方法でもよい。例えば、キャピラリを保持するためのＶ溝を有する保持部材を用いてよい。キャピラリの被膜が除去された部分の両側を、保持部材によって保持してよい。
【００２４】
図４は、検出部の一部をキャピラリに直交する面に沿って切断した断面の模式的に表したものである。キャピラリ１０１は、４８本であるが、ここでは、３本１０１Ａ、１０１Ｂ、１０１Ｃのみ示す。レーザ光２１は、先ず、一番端のキャピラリ１０１Ａを照射し、それを通過すると、次のキャピラリ１０１Ｂを照射する。こうしてレーザ光は、複数のキャピラリを次々に通過し、反対側の端のキャピラリより出る。キャピラリは円筒形状を有し、その中にポリマーが充填されているから、凸レンズと同様な集光機能を提供する。これによりレーザ光の発散を抑制する。レーザ光を上下両方向から照射することにより、略全てのキャピラリに、均一強度のレーザ光を照射させることができる。
【００２５】
レーザ光２１は、４８本のキャピラリの中心軸線の近くを通過するから、屈折又は反射によるレーザ光の損失を低減できる。
【００２６】
図５を参照して、キャピラリの構造について説明する。図５（ａ）の例では、キャピラリは、内径５０μｍ、外径１２６μｍの石英ガラス管と、厚さ１２μｍのポリマー被膜からなり、ポリマー被膜の外径は１５０μｍである。図５（ｂ）は、キャピラリとその周囲の物質の屈折率の例を示す。検出部では、キャピラリのポリマー被膜が除去され、石英ガラス管が露出している。キャピラリを構成する石英ガラスの屈折率は１．４６であり、キャピラリ内の泳動媒体であるポリマー水溶液の屈折率は、１.４１である。キャピラリは光伝達媒体中に配置されている。光伝達媒体として、フロリナート（商品名）を使用する場合、その屈折率は、１．２９である。尚、基板２０１は、キャピラリと同様に、石英ガラスによって構成されている場合、その屈折率は、１．４６である。
【００２７】
図６を参照して、本例の電気泳動装置の特徴について説明する。図６は、電気泳動装置の検出部の基板２０１と基板上に配置されたキャピラリ１０１の一部を示す。図６（ａ）の従来の電気泳動装置では、基板の主面には、キャピラリと直交するように、レーザ光２１の光軸に沿って、矩形断面の溝２１０が形成されている。図６（ｂ）の電気泳動装置では、基板の主面には、キャピラリと直交するように、レーザ光２１の光軸に沿って、三角形断面のＶ溝２１１が形成されている。キャピラリ１０１は、４８本であるが、ここでは、３本１０１Ａ、１０１Ｂ、１０１Ｃのみ示す。本例では、マルチフォーカス方式によりレーザ光をキャピラリへ照射する。レーザ光２１は、キャピラリの中心軸線の近くを通るように且つキャピラリに略直交するように、照射される。マルチフォーカス方式では、レーザ光は、キャピラリが配置されている面に略平行に照射される。
【００２８】
図６（ａ）の従来の電気泳動装置について、クロストークについて説明する。クロストークは、他のキャピラリ、特に、隣接するキャピラリからの蛍光である。図６（ａ）に示すように、キャピラリ１０１Ａから放射された蛍光１２Ａは、溝２１０の底面を反射する。この反射光が、隣接するキャピラリ１０１Ｂに到達する。従って、キャピラリ１０１Ｂから検出した蛍光信号には、キャピラリ１０１Ａからの蛍光信号がクロストークとして含まれる。
【００２９】
屈折率がｎ０の物質と屈折率がｎ１の物質の界面での反射率αは、入射角度を９０度と仮定すると、次の式によって表される。
α＝［（ｎ０−ｎ１）／（ｎ０＋ｎ１）］2                          （式１）
【００３０】
ｎ０をフロリナートの屈折率ｎ０＝１．２９とし、ｎ１を基板である石英ガラスの屈折率ｎ１＝１．４６とすると、反射率はα×１００％＝０．３８％となる。即ち、基板の溝の底面に入射された蛍光の約０．４％は反射する。尚、ｎ０を空気の屈折率ｎ０＝１．００とすると、反射率はα×１００％＝３．４９％となる。こうして、溝２１０の底面を反射した蛍光は、隣接するキャピラリからの蛍光信号に対するクロストーク源となる。
【００３１】
図６（ｂ）の本例による電気泳動装置のクロストークを説明する。本例による電気泳動装置では、従来の電気泳動装置と比較して、クロストーク量が少ないことが判明した。これは、Ｖ溝の場合、キャピラリから放射された蛍光は、Ｖ溝の２つの内壁を次々と反射し、その間に減衰するからである。図示のように、キャピラリ１０１Ａからの蛍光２１Ａは、Ｖ溝２１１にて反射し、反射光２１Ｂが隣接するキャピラリ１０１Ｂに到達する。キャピラリ１０１Ａからの蛍光２１Ａが、隣接するキャピラリ１０１Ｂに到達するためには少なくとも２回の反射を行なう。２回の反射による反射光２１Ｂの強度を求めるには、角度依存性を無視すると、式１を２乗すればよい。光伝達媒体としてフロリナートを使用する場合、２回の反射による反射光２１Ｂは、元の強度の０．００１４６％となり、ほとんど無視できるレベルになる。光伝達媒体を使用しない場合、２回の反射による反射光２１Ｂは、元の強度の０．１２２％となり、これも、ほとんど無視できるレベルである。
【００３２】
Ｖ溝２１１の角度は、キャピラリから放射された蛍光が、２回以上反射することができるなら、どのような値であってもよい。Ｖ溝の角度が小さいほど反射回数は増える。しかしながら、溝の幅を変化させずに、Ｖ溝の角度を小さくすると、溝の深さを大きくしなければならないから、基板の厚さを大きくしなければならない。溝の深さを変化させずに、Ｖ溝の角度を小さくすると、溝の幅が小さくなり、溝に入射する蛍光が少なくなる。
【００３３】
Ｖ溝の面は、鏡面であることが望ましい。Ｖ溝の面が、鏡面でない場合、例えば、擦りガラスの場合、反射光の進行方向が等方的になり、キャピラリ方向に戻る散乱成分が増加し、クロストークが大きくなる場合がある。
【００３４】
図７を参照して、従来の電気泳動装置においてキャピラリによって生成されるクロストークの測定値を説明する。図７の縦軸は受光部によって受光した光の信号の強度、横軸は泳動時間（任意単位）である。ここでは、隣接する２つのキャピラリからの蛍光信号を測定した。キャピラリ番号８のキャピラリには、蛍光標識されたＤＮＡを含む試料を電気泳動させた。キャピラリ番号９のキャピラリには、蛍光標識されたＤＮＡを含まない、空の試料を電気泳動させた。図７（ａ）の破線のグラフは、キャピラリ番号８からの蛍光信号を示す。実線のグラフは、キャピラリ番号９からの信号である。
【００３５】
図７（ｂ）は、図７（ａ）の丸印の部分を拡大したものである。実線のキャピラリ番号９からの信号は、キャピラリ番号８の信号のクロストークであることが判る。ピーク信号が、クロストークと同一レベルである場合には、蛍光信号の検出精度が低下する。本願の発明者は、キャピラリからの蛍光がどのように隣接するキャピラリの蛍光に重畳されるかを検討した。その結果、クロストークは少なくとも基板を反射した蛍光を含む、ということを見出した。
【００３６】
図８を参照して、隣接する複数のキャピラリによって生成されるクロストークの測定例を説明する。横軸はキャピラリ番号を示し、縦軸は、信号の強度を示す。キャピラリ番号８のキャピラリには、蛍光標識されたＤＮＡを含む試料を電気泳動させた。キャピラリ番号８以外のキャピラリには、蛍光標識されたＤＮＡを含まない、空の試料を電気泳動させた。従って、キャピラリ番号８以外のキャピラリからの信号は、クロストークを表す。図８（ａ）は、図６（ａ）の矩形断面の溝を有する従来の電気泳動装置による実験結果、図８（ｂ）は、図６（ｂ）のＶ溝を有する本例による電気泳動装置による実験結果を示す。複数の折れ線は、複数回の実験結果を表す。白い四角形は、複数回の実験結果の平均値を表す。
【００３７】
図８（ａ）の従来の装置の結果によると、キャピラリ番号８に隣接するキャピラリ番号７からのクロストークの大きさの平均値は、０．１０３％であり、隣接するキャピラリ番号９からのクロストークの大きさの平均値は、０．１０４％であった。図８（ｂ）の本例の装置による結果によると、キャピラリ番号８に隣接するキャピラリ番号７からのクロストークの大きさの平均値は、０．０４８％であり、隣接するキャピラリ番号９からのクロストークの大きさの平均値は、０．０４１％であった。本例では、クロストーク量がかなり低減していることが判る。
【実施例２】
【００３８】
図９を参照して本発明の電気泳動装置の検出部の第２の例を説明する。図９（ａ）は正面図、図９（ｂ）は縦断面、図９（ｃ）は横断面である。
【００３９】
本例の電気泳動装置を、図３の本発明の電気泳動装置の第１の例と比較すると、本例の電気泳動装置では、（１）光伝達媒体を使用しない、及び、（２）キャピラリが１６本である、点が異なる。本例では、光伝達媒体を使用しないため、セル蓋２０３は除去されている。キャピラリは、ポリマー被膜が除去された光照射部において、空気によって囲まれている。この場合、キャピラリの表面にて反射するレーザ光は、光伝達媒体を使用する場合に比べて多い。レーザ光は、複数のキャピラリを通過する間に減衰する。本例では、キャピラリの数は、１６本である。
【００４０】
図１０は、本例による電気泳動装置の第２の例と従来技術の電気泳動装置のクロストークを比較するためのグラフを示す。グラフ５０１は、本例による電気泳動装置のクロストーク、グラフ５０２は、従来技術の矩形断面の溝を有する電気泳動装置のクロストーク、グラフ５０３は、従来技術の基板に貫通孔を有する電気泳動装置のクロストークを示す。グラフ５０１とグラフ５０２を比較すると明らかなように、本例による電気泳動装置のクロストークは十分低い値である。グラフ５０３の基板に貫通孔を有する電気泳動装置の場合、クロストーク量は、本例の場合と同様に、低い。これは、クロストークとなる蛍光が、貫通孔より外部に放射され、隣接するキャピラリの蛍光に重畳しないためである。
【実施例３】
【００４１】
図１１は、本例の電気泳動装置の検出部の第３の例を示す。第３の例では、溝２１２の断面は、直角三角形であり、６０度の直角三角定規と略同一の形状である。即ち、溝２１２の第１の内壁は、基板の基準面に対して直角であり、溝２１２の第２の内壁は、基板の基準面に対して約３０度傾斜している。
【実施例４】
【００４２】
図１２は、本発明の電気泳動装置の検出部の第４の例を示す。第４の例では、溝２１３の断面は多角形であり、４つの内壁を有する。即ち、基板の基準面に対して直角な２つの内壁と、基板の基準面に対して傾斜した２つの底面である。
【００４３】
図１１及び図１２の例では、溝の内面は、基板の基準面に対して傾斜した複数の面を有するから、キャピラリから放射された蛍光は、複数回反射してから、他のキャピラリに戻るため、クロストークは減少する。ここでは、溝の断面形状として２つの例を示したが、本例によると、溝の断面形状は、これらの例に限定されない。即ち、溝の断面形状は、基板の基準面に対して傾斜した反射面を有し、蛍光を複数回反射させるための面を有するなら、どのような多角形であってもよい。
【実施例５】
【００４４】
図１３は、本発明の電気泳動装置の検出部の第５の例を示す。本例では、基板に設けられた溝２１４は、矩形断面を有するが、溝２１４の底面は、傾斜している。本例では、キャピラリから放射された蛍光は、溝の傾斜した底面を複数回反射する。従って、本例でも、キャピラリから放射された蛍光のうち、隣接するキャピラの蛍光に重畳する光量は少なく、クロストークは減少する。
【実施例６】
【００４５】
図１４は、本発明の電気泳動装置の検出部の第６の例を示す。本例の電気泳動装置の検出部を、図６（ａ）の従来の電気泳動装置と比較すると、本例の電気泳動装置では、基板の材質が異なる。基板の材質以外は、図６（ａ）の従来の電気泳動装置と同様であってよい。本例の電気泳動装置では、検出部の基板は、光伝達媒体の屈折率と同一又は略同一の屈折率を有する。上述のように光伝達媒体としてフロリナートを使用する場合、基板を、フロリナートの屈折率と同一の屈折率である１．２９の物質を使用する。このような物質として、例えば、デュポン社より販売されているフッ素系のポリマー樹脂であるＡＦ２４００（商品名）（屈折率１．２９）又はＡＦ１６００（商品名）（屈折率１．３１）がある。
【００４６】
こうして、基板の屈折率を光伝達媒体の屈折率と同一又は略同一にすることによって、基板の表面に到達した蛍光の反射を回避することができる。即ち、本例では、キャピラリから放射された蛍光は、基板を透過し外部に放射される。従って、キャピラリから放射された蛍光は、基板を反射して隣接するキャピラリの蛍光に重畳されることがなく、クロストークを実質的に、無視し得るレベルに抑えることができる。
【００４７】
尚、蛍光が、基板の表面に全反射角より小さい角度にて入射した場合には、蛍光は基板にて反射する。しかしながら、蛍光が基板の表面に全反射角より小さい角度にて入射する量は少ない。
【００４８】
以上、本発明の例を説明したが、本発明は上述の例に限定されるものではなく、特許請求の範囲に記載された発明の範囲にて様々な変更が可能であることは当業者にて理解されよう。
【図面の簡単な説明】
【００４９】
【図１】電気泳動装置の概略を説明するための説明図である。
【図２】電気泳動装置の受光部の構造を説明するための説明図である。
【図３】電気泳動装置の検出部の第１の例を示す図である。
【図４】電気泳動装置の検出部の構造を説明するための説明図である。
【図５】電気泳動装置のキャピラリの構造を説明するための説明図である。
【図６】従来の電気泳動装置と本例による電気泳動装置の検出部の一部を示す図である。
【図７】隣接する２つのキャピラリによって生成されるクロストークを説明するための説明図である。
【図８】本発明による電気泳動装置の検出部の第１の例と従来例のクロストークを比較する図である。
【図９】本発明による電気泳動装置の検出部の第２の例を示す図である。
【図１０】本発明による電気泳動装置の検出部第２の例と従来例のクロストークを比較する図である。
【図１１】本発明による電気泳動装置の検出部の第３の例を示す図である。
【図１２】本発明による電気泳動装置の検出部の第４の例を示す図である。
【図１３】本発明による電気泳動装置の検出部の第５の例を示す図である。
【図１４】本発明による電気泳動装置の検出部の第６の例を示す図である。
【符号の説明】
【００５０】
１０…キャピラリアレイ、１２、１４…バッファー容器、１６…ゲルブロック、１８…シリンジ、２０…検出部、２１…レーザ光、２２…恒温槽、１０１、１０１Ａ、１０１Ｂ、１０１Ｃ…キャピラリ、１０２…キャピラリヘッド、１０３…陰極端、１０４…陰極電極、１０５…ロードヘッダ、１２１、１４１…バッファー液、１４２…陽極電極、１６１…管、１６２…逆止弁、２０１…基板、２０２…押さえ板、２０３…セル蓋、２０４…接着剤、２０５…光伝達媒体、２０６…気泡、２０７…気泡排除ブロック、２１０〜２１４…溝、３０１…波長選択フィルタ、３０２…蛍光集光レンズ、３０３…グレーティング、３０４…フォーカスレンズ、３０５…ＣＣＤ
【図１】
2006105871.tif 000003
【図２】
2006105871.tif 000004
【図３】
2006105871.tif 000005
【図４】
2006105871.tif 000006
【図５】
2006105871.tif 000007
【図６】
2006105871.tif 000008
【図７】
2006105871.tif 000009
【図８】
2006105871.tif 000010
【図９】
2006105871.tif 000011
【図１０】
2006105871.tif 000012
【図１１】
2006105871.tif 000013
【図１２】
2006105871.tif 000014
【図１３】
2006105871.tif 000015
【図１４】
2006105871.tif 000016